(57)【要約】      （修正有）【課題】キャスターの取り付け部分が家具の外縁から突出することなく、家具の下端をより低くすることが可能なキャスター付き家具を提供する。【解決手段】下方に延びる縦向き部１１Ａ、前記縦向き部１１Ａの下端に上端が連続し、かつ前記縦向き部１１Ａに対して３０°より大きく、６０°より小さい角度をなす斜行部１１Ｂ、及び前記斜行部１１Ｂの末端から水平に伸びる水平部１１Ｃを有するフレーム１１と、前記斜行部１１Ｂの床面側に取り付けられ、車輪１２Ｂが前記縦向き部１１Ａの外縁より内側に位置し、前記車輪１２Ｂの径方向の上端面を通る接線が前記水平部の下端面より上に位置するキャスター１２と、を備える。【選択図】図６
2017086328.tif 000002
【特許請求の範囲】
【請求項１】
下方に延びる縦向き部、前記縦向き部の下端に上端が連続し、かつ前記縦向き部に対して３０°より大きく、６０°より小さい角度をなす斜行部、及び前記斜行部の末端から水平に伸びる水平部を有するフレームと、
前記斜行部の床面側に取り付けられ、車輪が前記縦向き部の外縁より内側に位置し、前記車輪の径方向の上端面を通る接線が前記水平部の下端面より上に位置するキャスターと、
を備えるキャスター付き家具。
【請求項２】
前記キャスターは、
鉛直方向に延びる軸部を有し、
前記軸部は、
前記軸部を抱持するように形成されたアタッチメントを介して前記斜行部に固定された請求項１に記載のキャスター付き家具。
【請求項３】
天板と、
座部と、
下方に延びる縦向き部、前記縦向き部に対して３０°より大きく、６０°より小さい角度をなす斜行部、及び水平に伸びる水平部を有する第１のフレームであって、前記天板及び前記座部の取付け部を備えた第１のフレームと、
前記斜行部の床面側に取り付けられ、車輪が前記縦向き部の外縁より内側に位置し、前記車輪の径方向の上端面を通る接線が前記水平部の下端面より上に位置する第１のキャスターと、
を備えるキャスター付き机。
【請求項４】
前記第１のキャスターは、
鉛直方向に延びる軸部を有し、
前記軸部は、
前記軸部を抱持するように形成されるアタッチメントを介して前記斜行部に固定される請求項３に記載のキャスター付き机。
【請求項５】
前記天板は、
前記第１のフレームの前記縦向き部の上方に設けられ、
前記座部は、
前記第１のフレームの前記水平部から斜め後方に立ち上がった傾斜部に支持される前記取付け部に設置される請求項４に記載のキャスター付き机。
【請求項６】
前記座部の下方から斜め下後方に傾斜して伸びる後方傾斜部と、
前記後方傾斜部の端部から斜め上後方に立ち上がり、第２のキャスターが取り付けられる後方斜行部と、
を具備する第２のフレームをさらに備え、
前記座部は、
前記第１のフレームの前記傾斜部の上端部と前記第２のフレームの前記後方傾斜部の上端部に設けられた前記取付け部に支持される請求項５に記載のキャスター付き机。
【請求項７】
前記後方斜行部は、
床面との間にできた空間に前記第２のキャスターを入れて取り付けることが可能に、かつ、前記後方斜行部に取り付けられる荷物を載置するための載置板が載置された前記荷物の落下を防止することが可能なように傾斜して形成される請求項６に記載のキャスター付き机。
【請求項８】
キャスターを、鉛直方向に延びる縦向き部、前記縦向き部に対して３０°より大きく、６０°より小さい角度をなす斜行部、及び水平に伸びる水平部を有するフレームの前記斜行部の床面側に、車輪が前記縦向き部の外縁より内側に位置し、前記車輪の径方向の上端面を通る接線が前記水平部の下端面より上に位置するように取り付けるキャスターの取り付け構造。
【請求項９】
前記キャスターは、
鉛直方向に延びる軸部を有し、
前記軸部は、
前記軸部を抱持するように形成されるアタッチメントを介して前記斜行部に固定される請求項８に記載のキャスターの取り付け構造。
【発明の詳細な説明】
【技術分野】
【０００１】
本発明は、キャスター付き机に関するものである。
【背景技術】
【０００２】
机などの家具を移動させやすくするためにキャスターを取り付けることは従来より行われてきた。また、他方において、キャスターを取り付けた場合、使用時の安定性を確保したり、収納部分を大きくしたり、人の移動の邪魔にならないようにしたりするために、家具の下端部分をできるだけ床面に近く配置したいという要請も強い。
【０００３】
この二つの要請を満たすために、キャスターの取り付け部分を家具の下端部分からキャスターの高さの分だけ上方に配置する手法が採られてきた（例えば、特許文献１。）。
【０００４】
この手法においては、キャスターの取り付け部分は床面に対して平行、つまり水平方向に形成される。そして、キャスターはこの水平な取り付け部分にナットなどの締結具によって固定される。
【０００５】
締結具を固定するために取り付け部分は剛性が必要である。従って、キャスターの取り付け部分は大きくならざるを得ず、キャスターよりも取り付け部分が家具の外側に突出する。
【０００６】
この突出した取り付け部は、家具の収納の邪魔になったり、移動の際に建物や人を傷つけたりすることがある。
【先行技術文献】
【特許文献】
【０００７】
【特許文献１】実開６０−６５０４９号公報
【発明の概要】
【発明が解決しようとする課題】
【０００８】
従って、キャスターの取り付け部分が家具の外縁から突出することなく、家具の下端をより低くすることが可能なキャスター付き家具が求められている。
【課題を解決するための手段】
【０００９】
前記課題を解決するため、本発明に係るキャスター付き家具は、下方に延びる縦向き部、前記縦向き部の下端に上端が連続し、かつ前記縦向き部に対して３０°より大きく、６０°より小さい角度をなす斜行部、及び前記斜行部の末端から水平に伸びる水平部を有するフレームと、前記斜行部の床面側に取り付けられ、車輪が前記縦向き部の外縁より内側に位置し、前記車輪の径方向の上端面を通る接線が前記水平部の下端面より上に位置するキャスターと、を備える。
【発明の効果】
【００１０】
本発明によれば、キャスターの取り付け部分が家具の外縁から突出することなく、家具の下端をより低くすることが可能なキャスター付き家具を提供することができる。
【図面の簡単な説明】
【００１１】
【図１】キャスター付き家具の正面斜視図。
【図２】図１の家具の背面斜視図。
【図３】図１、図２の家具の正面図。
【図４】図１から図３の家具の背面図。
【図５】図１から図４の家具の左側面図
【図６】図５におけるＡの部分の拡大側面図。
【図７】第１のフレームへの前方キャスターの取り付け構造を示す図。
【図８】図５におけるＢの部分の拡大側面図。
【図９】第２のフレームへの後方キャスターの取り付け構造を示す図。
【発明を実施するための形態】
【００１２】
以下、本発明の一実施形態にかかるキャスター付き家具、キャスター付き机、およびキャスターの取り付け構造を、図面を参照しながら説明する。キャスター付き家具の例としてキャスター付き机１について説明する。
【００１３】
図１はキャスター付き机（以下、机１という。）の正面斜視図、図２は机１の背面斜視図、図３は机１の正面図、図４は机１の背面図、図５は机１の左側面図である。
【００１４】
図１から図５に示すように、机１は、天板１３と座部１８とを備えるとともに、前記天板１３と座部１８の取り付け部１５Ｃとを連続する第１のフレーム１１と、座部１８の取り付け部１５Ｃから背面に向かって延びる第２のフレーム１５と、を備える。
【００１５】
天板１３は、第１のフレーム１１の上部に水平、すなわち床面に平行に配置される。天板１３は、表面の前端部に天板１３に載せた物が落ちないようにするためのガイド１３１が設けられている。天板１３の下方には、正面視において座部１８が隠れるように幕板１４が配置される。幕板１４の配置は任意である。天板１３の左右の端部には、カバンなどを下げるためのフック１３２が設けられている。
【００１６】
座部１８は、鉛直方向の回転軸周りに回転可能に、座部１８の取り付け部１５Ｃに取り付けられる。座部１８には切欠きのある背もたれ１８１が設けられている。
【００１７】
第１のフレーム１１は、パイプを側面視大略Ｌ状乃至Ｃ状に折り曲げて形成される。第１のフレーム１１は、その上端部が天板１３を支持するように天板１３の前後方向に沿って水平に伸び、天板１３の先端部仮面において縦向きに曲がって下方に延びる。第１のフレーム１１はこの縦向き部１１Ａにおいて幕板１４を支持する。
【００１８】
下方へ延びる前記第１のフレーム１１は、縦向きから背面方向に斜めに向きを変え、さらに背面方向に延びて水平部１１Ｃを形成する。第１のフレーム１１のこの斜めの前方斜行部１１Ｂには前方キャスター１２及び前方カバー１２１が取り付けられる。第１のフレーム１１は前記水平部１１Ｃの終端からさらに、斜め上方に向きを変えて立ち上がる傾斜部１１Ｄの上端において前記座部１８の取り付け部１５Ｃを支持する。第１のフレーム１１は、正面からみて左右対称に形成される。
【００１９】
第１のフレーム１１の床面に近い水平部１１Ｃはできる限り床面に近いことが、使用者が座部１８に出入りするときなどに躓くことを防ぐ上で望ましい。
【００２０】
第２のフレーム１５はパイプを折り曲げて形成されている。第２のフレーム１５は、座部１８の取り付け部１５Ｃから斜め下方に延びる後方傾斜部を備え、第１のフレーム１１の水平部１１Ｃの高さに近づいた位置において斜め上方に立ち上げられている。第２のフレーム１５は、正面方向に向かって左右対称に形成される。
【００２１】
第２のフレーム１５の上方に向かう斜めの後方斜行部１５Ｂには後方キャスター１６及び後方カバー１６１が取り付けられる。
【００２２】
第２のフレーム１５は、座部１８の取り付け部１５Ｃから下方に向かい、第１フレーム１１の水平部１１Ｃと同じ程度の高さの位置において折れ曲がって上方に向かって延びるため、谷部を形成する。この谷部は、座部１８の下面と当該フレーム１５の間に大きめの空間を形成しているから、フレーム１５にはカバン置き板１７が取り付けられる。カバン置き板１７は、重量を軽くするために、複数の穴１７１を有していてもよい。
【００２３】
図６は、図５におけるＡの部分の拡大側面図である。図６に示すように、前方キャスター１２は第１のフレーム１１の前方斜行部１１Ｂに設置される。
【００２４】
第１のフレーム１１は、天板１３から下降する縦向き部１１Ａと、鉛直方向Ｌ２に対して０°より大きく９０°より小さい角度、好ましくは３０°以上６０°以下の角度θ１の角度を付けて直線Ｌ１に沿って折れ曲がる前方斜行部１１Ｂと、前方斜行部１１Ｂに連続して水平方向に延びる水平部１１Ｃと、を有する。角度θ１は、スペース効率の点から望ましくは３０°以上６０°以下、より望ましくは４５°である。前方斜行部１１Ｂの長さは前方キャスター１２の大きさによって定められる。
【００２５】
前方キャスター１２は、鉛直方向に延びる第１の軸部１２Ａと、軸部１２Ａに回転自在に支持された軸を有する車輪取付け部１２Ｃに取り付けた自由回転する一対の車輪１２Ｂと、を備える。第１の軸部１２Ａと車輪取付け部１２Ｃの軸心は鉛直方向Ｌ２と一致する。
【００２６】
家具の下端部である第１のフレーム１１の水平部１１Ｃの下端面の高さＬ６は、床面Ｇより高く、車輪１２Ｂの上端面を通る接線Ｌ５より下方に位置する。
【００２７】
前方キャスター１２の車輪１２Ｂの径方向前端面Ｌ４は、家具の外縁である机１の第１のフレーム１１の前端面Ｌ３より、内側に位置する。前方キャスター１２の車輪１２Ｂの径方向前端面Ｌ４は、第１のフレーム１１の前端面Ｌ３に近いほど下端部の高さＬ６をより床面Ｇに近づけることが可能となる。他方、前方キャスター１２の車輪１２Ｂの径方向前端面Ｌ４は第１のフレーム１１の前端面Ｌ３より前方に突出すると収納に邪魔になったり、移動の際に使用者の足で蹴られたりする。従って、第１のフレーム１１の前端面Ｌ３と前方キャスター１２の車輪１２Ｂの径方向前端面Ｌ４は少なくとも一致することが望ましい。
【００２８】
図７は、第１のフレーム１１への前方キャスター１２の取り付け構造を示す図である。図７（Ａ）に示すように、前方キャスター１２の第１の軸部１２Ａを抱持するように、また前方斜行部１１Ｂの傾斜に合わせて前部が斜面に形成される第１のアタッチメント１２２が第１の軸部１２Ａに、矢印Ｘ１の方向に取り付けられる。
【００２９】
次いで、図７（Ｂ）に示すように、第１のアタッチメント１２２と、第１の軸部１２Ａ及び前方斜行部１１Ｂと、を溶接又は接着等によって固定する。その後、前方カバー１２１を矢印Ｘ２の方向に嵌め込む。
【００３０】
図８は、図５におけるＢの部分の拡大側面図である。図８に示すように、後方キャスター１６は、第２のフレーム１５の谷部（屈曲部１５Ａ）から斜め上方に立ち上がる後方斜行部１５Ｂに取り付けられる。
【００３１】
後方キャスター１６は、鉛直方向に延びる第２の軸部１６Ａと、同軸上の車輪取付け部１６Ｃに取り付けられた自由回転する一対の車輪１６Ｂと、を備える。第２の軸部１６Ａの軸心は鉛直方向Ｌ１２と一致する。後方斜行部１５Ｂの傾斜方向Ｌ１１は鉛直方向Ｌ１２に対して０°より大きく、９０°より小さい角度θ２をなす。角度θ２は、スペース効率の点から望ましくは３０°以上６０°以下、より望ましくは４５°である。後方斜行部１５Ｂの長さは後方キャスター１６の大きさによって定められる。
【００３２】
家具の下端部である第２のフレーム１５の屈曲部１５Ａの下端面の高さＬ１６は、床面Ｇより高く、車輪１６Ｂの上端部を通る接線Ｌ１５より下方に位置する。
【００３３】
後方キャスター１６の車輪１６Ｂの径方向前端面Ｌ１４は、家具の外縁である後方カバー１６１の後端面Ｌ１３より、内側に位置する。後方キャスター１６の車輪１６Ｂの径方向後端面Ｌ１４は、第２のフレーム１５の後端部に近いほど下端部の高さＬ１６をより床面Ｇに近づけることが可能となる。他方、後方キャスター１６の車輪１６Ｂの径方向後端面Ｌ１４は第２のフレーム１５の後端面Ｌ１３より後方に突出しすぎると収納に邪魔になったり、移動の際に使用者の足で蹴られたりする。従って、第２のフレーム１５の後端面Ｌ１３と後方キャスター１６の車輪１６Ｂの径方向後端面Ｌ１４が近いほど望ましい。
【００３４】
後方斜行部１５Ｂは、床面との間にできた空間に第２のキャスターである後方キャスター１６を入れて取り付けることが可能に、かつ、後方斜行部１５Ｂに取り付けられる荷物を載置するための載置板であるカバン置き板１７が、このカバン置き板１７に載置された荷物の落下を防止することが可能なように傾斜して形成される。
【００３５】
図９は、第２のフレーム１５への後方キャスター１６の取り付け構造を示す図である。図９（Ａ）に示すように、後方キャスター１６の第２の軸部１６Ａを保持するように、また後方斜行部１５Ｂの傾斜に合わせて形成される第２のアタッチメント１６２が第２の軸部１６Ａに、矢印Ｘ３の方向に取り付けられる。
【００３６】
図９（Ｂ）に示すように、第２のアタッチメントと、第２の軸部１６Ａ及び後方斜行部１５Ｂと、を溶接又は接着等によって固定する。その後、後方カバー１６１を矢印Ｘ４の方向に嵌め込む。
【００３７】
以上述べたように、本実施形態の机１は、天板１３と、座部１８と、天板１３及び座部１８の取り付け部１５Ｃに連続し、鉛直方向に延びる縦向き部１１Ａに対して０°より大きく、９０°より小さい角度θ１をなす前方斜行部１１Ｂを有する第１のフレーム１１と、前方斜行部１１Ｂの床面側に取り付けられる前方キャスター１２と、を備える。
【００３８】
従って、キャスターの取り付け部が家具の外縁から突出することなく、家具の下端をより低くすることが可能なキャスター付き家具を提供することができるという効果がある。
【００３９】
なお、本実施形態においてはキャスターの取り付け構造の適用例としてキャスター付き机について説明したが、机の他にもテーブル、椅子、キャビネット、パーティションなど、動かすことが可能となるようにキャスターを取り付けることが求められる家具全般に適用可能である。
【符号の説明】
【００４０】
１  机
１１  第１のフレーム
１１Ａ  縦向き部
１１Ｂ  前方斜行部
１１Ｃ  水平部
１２  キャスター
１２  前方キャスター
１２Ａ  第１の軸部
１２Ｂ  車輪
１２１  前方カバー
１２２  第１のアタッチメント
１３  天板
１４  幕板
１５  第２のフレーム
１５Ａ  屈曲部
１５Ｂ  後方斜行部
１６  後方キャスター
１６Ａ  第２の軸部
１６Ｂ  車輪
１６１  後方カバー
１６２  第２のアタッチメント
１８  座部
【図１】
2017086328.tif 000003
【図２】
2017086328.tif 000004
【図３】
2017086328.tif 000005
【図４】
2017086328.tif 000006
【図５】
2017086328.tif 000007
【図６】
2017086328.tif 000008
【図７】
2017086328.tif 000009
【図８】
2017086328.tif 000010
【図９】
2017086328.tif 000011